(57)【要約】【課題】ＴＭＤＳにより信号が伝送される差動ペア信号配線間のクロストークを低減することができるプリント配線板を提供する。【解決手段】差動ペアデータ信号配線Ｄ１〜Ｄ３は、ＴＭＤＳにより差動データ信号が伝送され、プリント配線板１の第１配線層Ｌ１に形成されている。差動ペアデータ信号配線Ｄ１は、データ信号配線Ｄ１ａとデータ信号配線Ｄ１ｂとで構成されている。差動ペアデータ信号配線Ｄ２は、データ信号配線Ｄ２ａとデータ信号配線Ｄ２ｂとで構成されている。差動ペアデータ信号配線Ｄ３は、データ信号配線Ｄ３ａとデータ信号配線Ｄ３ｂとで構成されている。差動ペアクロック信号配線Ｃ１は、ＴＭＤＳにより差動クロック信号が伝送され、プリント配線板１の第３配線層Ｌ３に形成されている。差動ペアクロック信号配線Ｃ１は、クロック信号配線Ｃ１ａとクロック信号配線Ｃ１ｂとで構成されている。【選択図】図１
2015231006.tif 000002
【特許請求の範囲】
【請求項１】
遷移時間最短差動信号伝送方式により差動データ信号が伝送される３つの差動ペアデータ信号配線と、
遷移時間最短差動信号伝送方式により差動クロック信号が伝送される差動ペアクロック信号配線と、
を有し、
前記差動ペアデータ信号配線と前記差動ペアクロック信号配線とは、プリント配線板の異なる層に形成されている
ことを特徴とするプリント配線板。
【請求項２】
前記差動ペアクロック信号配線は、前記差動ペアクロック信号配線が形成された配線層の上下層に形成されたグランド配線により挟み込まれている
ことを特徴とする請求項１に記載のプリント配線板。
【請求項３】
前記差動ペアデータ信号配線は、前記プリント配線板の表面層に形成され、前記差動ペアクロック信号配線は、前記プリント配線板の内部層に形成されている
ことを特徴とする請求項１または２に記載のプリント配線板。
【発明の詳細な説明】
【技術分野】
【０００１】
本発明は、遷移時間最短差動信号伝送方式（Transition Minimized Differential Signaling：ＴＭＤＳ）と呼ばれる伝送方式により信号が伝送される信号配線が形成されたプリント配線板に関する。
【背景技術】
【０００２】
ＴＭＤＳは、デジタル映像信号を伝送するために、差動インピーダンスが所定の値、例えば１００Ωの差動ペア信号配線が使用される。
【０００３】
差動ペア信号配線を使用して信号を伝送する従来の技術としては、例えば特許文献１に記載されたものが知られている。
【０００４】
特許文献１には、ＨＤＭＩ（登録商標）受信機などの受信装置に１又はそれ以上のコネクタを結合するための制御インピーダンスバスを備えたバスサブシステムが記載されている。このバスサブシステムの制御インピーダンスバスは、ＴＭＤＳを使用して高速デジタル信号が伝送される１対のバストレースを複数含んでいる。
【０００５】
この１対のバストレースは、２本の信号線を１組として差動信号を伝送する１組の差動ペア信号配線を構成する。したがって、上記バスサブシステムは、複数組の差動ペア信号配線を有している。複数組の差動ペア信号配線は、マイクロストリップライン構造によりすべてプリント配線板の一方の表面に形成されている。
【０００６】
差動ペア信号配線を使用して信号を伝送する従来の他の技術としては、例えば特許文献２に記載されたものが知られている。
【０００７】
特許文献２には、それぞれ異なる差動インピーダンスに調整された差動ペア信号配線を構成する複数組の差動伝送ラインが１つのプリント配線板に実装された電子機器が記載されている。複数組の差動伝送ラインは、マイクロストリップライン構造によりすべてプリント配線板の一方の表面に形成されている。
【先行技術文献】
【特許文献】
【０００８】
【特許文献１】特表２０１１−５１５７６２号公報
【特許文献２】特開２０１２−３３５７０号公報
【発明の概要】
【発明が解決しようとする課題】
【０００９】
上記いずれの従来技術にあっても、複数組の差動ペア信号配線は、すべてプリント配線板の表面層に形成されていた。
【００１０】
このため、複数組の差動ペア信号配線を限られたスペースの範囲内で形成しようとすると、差動ペア信号配線を構成する１本の信号配線の配線幅に対する差動ペア信号配線同士の間隔は狭まる。これにより、差動ペア信号配線間でクロストークが増大し、差動ペア信号配線を伝送する信号の品質が劣化するという問題があった。
【００１１】
本発明の目的は、ＴＭＤＳにより信号が伝送される差動ペア信号配線間のクロストークを低減させ、伝送信号の品質の劣化を抑制することができるプリント配線板を提供することである。
【課題を解決するための手段】
【００１２】
本発明は、遷移時間最短差動信号伝送方式により差動データ信号が伝送される３つの差動ペアデータ信号配線と、遷移時間最短差動信号伝送方式により差動クロック信号が伝送される差動ペアクロック信号配線と、を有し、前記差動ペアデータ信号配線と前記差動ペアクロック信号配線とは、プリント配線板の異なる層に形成されていることを特徴とするプリント配線板を提供する。
【発明の効果】
【００１３】
本発明のプリント配線板によれば、ＴＭＤＳにより信号を伝送する差動ペア信号配線間のクロストークを低減して、伝送信号の品質の劣化を抑制することができる。
【図面の簡単な説明】
【００１４】
【図１】本発明の第１実施形態に係るプリント配線板の模式的な構成を示す図である。
【図２】差動ペアデータ信号配線と差動ペアクロック信号配線との構成を示す図である。
【図３】実際に差動ペアデータ信号配線と差動ペアクロック信号配線とが形成された多層のプリント配線板の一例を示す平面図である。
【図４】多層プリント配線において、コネクタに接続された差動ペアクロック信号配線が形成された配線層の構成を示す平面図である。
【図５】ケース１における差動ペアデータ信号配線と差動ペアクロック信号配線との構成を示す平面図である。
【図６】ケース２における差動ペアデータ信号配線の構成を示す平面図である。
【図７】アイパターンの一表示例を示す図である。
【図８】アイパターンの測定結果の一例を示す図である。
【発明を実施するための形態】
【００１５】
以下、図面を用いて本発明を実施するための実施形態を説明する。
【００１６】
（実施形態）
本発明の実施形態に係るプリント配線板の構成を説明する。
【００１７】
図１は、プリント配線板１の構成を示す模式図である。図１において、プリント配線板１には、信号処理回路１１、コネクタ１２及びコモンモードフィルタ１３が実装されている。プリント配線板１には、３つの差動ペアデータ信号配線Ｄ１〜Ｄ３及び差動ペアクロック信号配線Ｃ１が形成されている。
【００１８】
信号処理回路１１は、デジタル映像信号を入出力し、信号処理回路１１が備えている機能にしたがって入力したデジタル映像信号を処理する。信号処理回路１１は、信号処理を施したデジタル映像信号を出力する。
【００１９】
コネクタ１２は、プリント配線板１と外部機器（図示せず）とを接続する。信号処理回路１１に入力するデジタル映像信号、または信号処理回路１１から出力されるデジタル映像信号は、コネクタ１２を介してコネクタ１２に接続された外部機器との間で入出力される。
【００２０】
コモンモードフィルタ１３は、差動ペアデータ信号配線Ｄ１〜Ｄ３及び差動ペアクロック信号配線Ｃ１によって伝送される信号における同相のノイズをキャンセルする機能を有する。なお、コモンモードフィルタ１３は、必要に応じて設けられ、備えていなくともよい。
【００２１】
差動ペアデータ信号配線Ｄ１〜Ｄ３及び差動ペアクロック信号配線Ｃ１は、コモンモードフィルタ１３を介して信号処理回路１１とコネクタ１２とを接続する。差動ペアデータ信号配線Ｄ１〜Ｄ３及び差動ペアクロック信号配線Ｃ１は、信号処理回路１１とコネクタ１２に接続された外部機器との間で入出力される信号が伝送される。
【００２２】
以下に、差動ペアデータ信号配線Ｄ１〜Ｄ３及び差動ペアクロック信号配線Ｃ１を詳細に説明する。
【００２３】
図２は、図１に示す３つの差動ペアデータ信号配線Ｄ１〜Ｄ３及び差動ペアクロック信号配線Ｃ１の構成を示す模式図であり、図２（ａ）は図１に符号１４で示す一部分の平面図、図２（ｂ）は図２（ａ）のＩ−Ｉ線に沿う断面図である。なお、図２（ｂ）は、差動ペアデータ信号配線Ｄ１〜Ｄ３及び差動ペアクロック信号配線Ｃ１の断面を拡大して図示している。
【００２４】
図２（ｂ）において、プリント配線板１は、多層プリント配線板で構成され、少なくとも４つの配線層を備えている。４つの配線層は、プリント配線板１の表面から第１配線層Ｌ１、第２配線層Ｌ２、第３配線層Ｌ３、第４配線層Ｌ４の順にプリント配線板１の内部に向かって積層されている。
【００２５】
なお、図２（ｂ）には図示していないが、プリント配線板１は、第４配線層Ｌ４の下層に複数の配線層が形成されていてもよい。
【００２６】
第１配線層Ｌ１は、プリント配線板１の表面層を構成し、第１配線層Ｌ１には、３つの差動ペアデータ信号配線Ｄ１〜Ｄ３が並行して形成されている。差動ペアデータ信号配線Ｄ１〜Ｄ３は、第１配線層Ｌ１を構成する例えばプリプレグと呼ばれる絶縁体の基材Ｂ１上に銅箔で形成されている。基材Ｂ１は、例えばガラス繊維布にエポキシ樹脂を含浸させた材料で形成される。
【００２７】
第１配線層Ｌ１の上部には、図示していないがソルダーレジストが形成され、ソルダーレジストは３つの差動ペアデータ信号配線Ｄ１〜Ｄ３を被覆して保護する。
【００２８】
差動ペアデータ信号配線Ｄ１〜Ｄ３は、それぞれ２本のペアとなるデータ信号配線で構成されている。
【００２９】
すなわち、差動ペアデータ信号配線Ｄ１は、データ信号配線Ｄ１ａとデータ信号配線Ｄ１ｂとで構成されている。データ信号配線Ｄ１ａとデータ信号配線Ｄ１ｂとは、並行して形成されている。
【００３０】
差動ペアデータ信号配線Ｄ２は、データ信号配線Ｄ２ａとデータ信号配線Ｄ２ｂとで構成されている。データ信号配線Ｄ２ａとデータ信号配線Ｄ２ｂとは、並行して形成されている。
【００３１】
差動ペアデータ信号配線Ｄ３は、データ信号配線Ｄ３ａとデータ信号配線Ｄ３ｂとで構成されている。データ信号配線Ｄ３ａとデータ信号配線Ｄ３ｂとは、並行して形成されている。
【００３２】
差動ペアデータ信号配線Ｄ１〜Ｄ３には、上述したＴＭＤＳにより差動データ信号が伝送される。ＴＭＤＳは、デジタル映像信号を伝送する伝送方式の一つとして標準化された規格である。ＴＭＤＳは、４つのチャネルを有し、デジタル映像信号の三原色に対応したＲ信号、Ｇ信号、Ｂ信号のそれぞれを各１チャネルに割り当て、クロック信号を１チャネルに割り当てている。
【００３３】
上記３つの差動ペアデータ信号配線Ｄ１〜Ｄ３は、ＴＭＤＳのＲ信号、Ｇ信号、Ｂ信号に対応する。すなわち、例えば差動ペアデータ信号配線Ｄ１にはＲ信号が伝送され、差動ペアデータ信号配線Ｄ２にはＧ信号が伝送され、差動ペアデータ信号配線Ｄ３にはＢ信号が伝送される。
【００３４】
ＴＭＤＳは、デジタルビデオインターフェイス（Digital Visual Interface：ＤＶＩ）や高精細度マルチメディアインターフェイス（High-Definition Multimedia Interface：ＨＤＭＩ（登録商標））などで採用されている。
【００３５】
ＤＶＩは、液晶ディスプレイやデジタルプロジェクタのような、デジタルディスプレイ装置の映像品質を最大限活かすよう設計された映像出力インタフェースの標準規格である。ＨＤＭＩ（登録商標）は、映像、音声をデジタル信号で伝送する通信インタフェースの標準規格であり、主に家電やＡＶ機器向けのデジタル映像、音声入出力インターフェースの規格である。
【００３６】
第１配線層Ｌ１の下層には、第２配線層Ｌ２が形成されている。第２配線層Ｌ２は、銅箔で形成され、第１グランド配線Ｇ１を構成する。
【００３７】
第２配線層Ｌ２の下層には、第３配線層Ｌ３が形成されている。第３配線層Ｌ３には、差動ペアクロック信号配線Ｃ１が形成されている。差動ペアクロック信号配線Ｃ１は、第３配線層Ｌ３を構成する例えばプリプレグと呼ばれる絶縁体の基材Ｂ２の中に銅箔で形成されている。基材Ｂ２は、例えばガラス繊維布にエポキシ樹脂を含浸させた材料で形成される。
【００３８】
差動ペアクロック信号配線Ｃ１は、２本のペアとなるクロック信号配線で構成されている。すなわち、差動ペアクロック信号配線Ｃ１は、クロック信号配線Ｃ１ａとクロック信号配線Ｃ１ｂとで構成されている。クロック信号配線Ｃ１ａとクロック信号配線Ｃ１ｂとは、並行して形成されている。
【００３９】
なお、図２（ｂ）では、差動ペアクロック信号配線Ｃ１は、差動ペアデータ信号配線Ｄ１〜Ｄ３の真下の第２配線層Ｌ３に形成されていない構成を例示しているが、差動ペアデータ信号配線Ｄ１〜Ｄ３の真下の第２配線層Ｌ３に形成されていてもよい。
【００４０】
差動ペアクロック信号配線Ｃ１には、上述したＴＭＤＳのクロック信号が伝送される。
【００４１】
第３配線層Ｌ３の下層には、第４配線層Ｌ４が形成されている。第４配線層Ｌ４は、銅箔で形成され、第２グランド配線Ｇ２を構成する。
【００４２】
差動ペアクロック信号配線Ｃ１は、第１グランド配線Ｇ１と第２グランド配線Ｇ２とで挟み込まれて、プリント配線板１の内部層に形成されている。これにより、差動ペアクロック信号配線Ｃ１は、第１グランド配線Ｇ１と第２グランド配線Ｇ２とによりシールドされるので、差動クロック信号による電磁雑音（Electro-Magnetic Interference：ＥＭＩ）を低減することができる。
【００４３】
図３は実際に差動ペアデータ信号配線Ｄ１（Ｄ１−１，Ｄ１−２）〜Ｄ３（Ｄ３−１，Ｄ３−２）及び差動ペアクロック信号配線Ｃ１（Ｃ１−１）が形成された多層のプリント配線板３０の一例を示す平面図である。
【００４４】
図３において、プリント配線板３０の一方の表面３１には、図１に示す信号処理回路１１と同様な機能を含む様々な機能を備えた例えば集積回路３２ａ〜３２ｃが実装されている。プリント配線板３０の一方の表面３１には、図１に示すコモンモードフィルタ１３と同様な機能を有するコモンモードフィルタ３３が実装されている。プリント配線板３０の一方の表面３１には、差動ペアデータ信号配線Ｄ１−１，Ｄ１−２〜Ｄ３−１，Ｄ３−２と差動ペアクロック信号配線Ｃ１−１とが形成されている。
【００４５】
プリント配線板３０の他方の表面には、図１に示すコネクタ１２と同様な機能を有するコネクタ３４が実装されている。
【００４６】
集積回路３２ａの裏面には、差動ペアデータ信号配線Ｄ１〜Ｄ３と差動ペアクロック信号配線Ｃ１が接続される接続端子３５が設けられている。
【００４７】
図４は図３に示すコネクタ３４に接続された差動ペアクロック信号配線Ｃ１（Ｃ１−３）が形成された配線層４１の平面図である。
【００４８】
図４において、配線層４１は、プリント配線板３０の内部層で構成されており、完成されたプリント配線板３０において視認することはできない。したがって、図４は配線層４１上に積層された他の配線層を削除したときに視認できる配線層４１の平面図である。
【００４９】
配線層４１には、図４に示すように、差動ペアデータ信号配線Ｄ１（Ｄ１−３）〜Ｄ３（Ｄ３−３）及び差動ペアクロック信号配線Ｃ１（Ｃ１−２，Ｃ１−３）が形成されている。
【００５０】
図３に示す差動ペアデータ信号配線Ｄ１−１，Ｄ１−２〜Ｄ３−１，Ｄ３−２及び差動ペアクロック信号配線Ｃ１−１と、図４に示す差動ペアデータ信号配線Ｄ１−３〜Ｄ３−３及び差動ペアクロック信号配線Ｃ１−２，Ｃ１−３との接続関係を説明する。
【００５１】
配線層４１に形成された差動ペアデータ信号配線Ｄ１−３〜Ｄ３−３の一端及び差動ペアクロック信号配線Ｃ１−２の一端は、スルーホールＴ１を介して集積回路３２ａの裏面に形成された接続端子３５に接続されている。
【００５２】
配線層４１に形成された差動ペアデータ信号配線Ｄ１−３〜Ｄ３−３の他端は、スルーホールＴ２を介してプリント配線板３０の表面３１に形成された対応する差動ペアデータ信号配線Ｄ１−１〜Ｄ３−１の一端に接続されている。
【００５３】
プリント配線板３０の表面３１に形成された差動ペアデータ信号配線Ｄ１−１〜Ｄ３−１の他端は、コモンモードフィルタ３３の一方の接続端子に接続されている。コモンモードフィルタ３３の他方の接続端子には、差動ペアデータ信号配線Ｄ１−１〜Ｄ３−１に対応した差動ペアデータ信号配線Ｄ１−２〜Ｄ３−２の一端が接続されている。
【００５４】
すなわち、差動ペアデータ信号配線Ｄ１−１は、コモンモードフィルタ３３を介して差動ペアデータ信号配線Ｄ１−２に接続されている。差動ペアデータ信号配線Ｄ２−１は、コモンモードフィルタ３３を介して差動ペアデータ信号配線Ｄ２−２に接続されている。差動ペアデータ信号配線Ｄ３−１は、コモンモードフィルタ３３を介して差動ペアデータ信号配線Ｄ３−２に接続されている。
【００５５】
差動ペアデータ信号配線Ｄ１−２〜Ｄ３−２の他端は、スルーホールＴ３を介してコネクタ３４に接続されている。
【００５６】
これにより、集積回路３２ａとコネクタ３４とは、配線層４１に形成された差動ペアデータ信号配線Ｄ１−３〜Ｄ３−３、及びプリント配線板３０の表面３１に形成された差動ペアデータ信号配線Ｄ１−１，Ｄ１−２〜Ｄ３−１，Ｄ３−２を介して接続されている。
【００５７】
一方、配線層４１に形成された差動ペアクロック信号配線Ｃ１−２の他端は、スルーホールＴ２を介してプリント配線板３０の表面３１に形成された差動ペアクロック信号配線Ｃ１−１の一端に接続されている。差動ペアクロック信号配線Ｃ１−１の他端は、コモンモードフィルタ３３の一方の接続端子に接続されている。
【００５８】
コモンモードフィルタ３３の差動ペアクロック信号配線Ｃ１−１が接続された接続端子に対応する他方の接続端子には、スルーホールＴ４を介して差動ペアクロック信号Ｃ１−３の一端が接続されている。すなわち、差動ペアクロック信号配線Ｃ１−１は、コモンモードフィルタ３３を介して差動ペアクロック信号配線Ｃ１−３に接続されている。
【００５９】
差動ペアクロック信号配線Ｃ１−３の他端は、スルーホールＴ５を介してコネクタ３４に接続されている。
【００６０】
これにより、集積回路３２ａとコネクタ３４とは、配線層４１に形成された差動ペアクロック信号配線Ｃ１−２〜Ｃ１−３、及びプリント配線板３０の表面３１に形成された差動ペアクロック信号配線Ｃ１−１により接続されている。
【００６１】
このような構成では、コモンモードフィルタ３３とコネクタ３４とを接続する差動ペアデータ信号配線Ｄ１−２〜Ｄ３−２及び差動ペアクロック信号配線Ｃ１−３は、プリント配線板３０の異なる層に形成されている。すなわち、差動ペアデータ信号配線Ｄ１−２〜Ｄ３−２は、プリント配線板３０の表面３１に形成されているのに対して、差動ペアクロック信号配線Ｃ１−３は、プリント配線板３０の内部の配線層４１に形成されている。
【００６２】
ここで、ケース１とケース２とにおける、差動ペアデータ信号配線Ｄ１〜Ｄ３及び差動ペアクロック信号配線Ｃ１の設計ルールを対比してみる。ケース１は、差動ペアデータ信号配線Ｄ１〜Ｄ３及び差動ペアクロック信号配線Ｃ１を、従来のようにプリント配線板の同一の層に並行して形成した場合である。ケース２は、差動ペアデータ信号配線Ｄ１〜Ｄ３及び差動ペアクロック信号配線Ｃ１を実施形態のようにプリント配線板１の異なる配線層に形成し、差動ペアデータ信号配線Ｄ１〜Ｄ３を同一の層に形成した場合である。
【００６３】
図５は、ケース１における差動ペアデータ信号配線Ｄ１〜Ｄ３及び差動ペアクロック信号配線Ｃ１の構成を示す平面図である。
【００６４】
図５において、差動ペアデータ信号配線Ｄ１〜Ｄ３において、上述したペアとなるデータ信号配線Ｄ１ａ〜Ｄ３ａ，Ｄ１ｂ〜Ｄ３ｂの配線幅Ｗ１は、例えば０．０７５ｍｍ程度に設定される。差動ペアクロック信号配線Ｃ１のペアとなるクロック信号配線Ｃ１ａ，Ｃ１ｂの配線幅Ｗ１も、データ信号配線Ｄ１ａ〜Ｄ３ａ，Ｄ１ｂ〜Ｄ３ｂの配線幅Ｗ１と同様に例えば０．０７５ｍｍ程度に設定される。
【００６５】
ペアとなるデータ信号配線Ｄ１ａ〜Ｄ３ａ，Ｄ１ｂ〜Ｄ３ｂの配線間隔Ｗ２は、例えば０．１７５ｍｍ程度に設定される。
【００６６】
ペアとなるクロック信号配線Ｃ１ａ，Ｃ１ｂの配線間隔Ｗ２も、データ信号配線Ｄ１ａ〜Ｄ３ａ，Ｄ１ｂ〜Ｄ３ｂの配線間隔Ｗ２と同様に例えば０．１７５ｍｍ程度に設定される。
【００６７】
隣り合う差動ペアデータ信号配線Ｄ１〜Ｄ３の配線間隔Ｗ３は、配線間のクロストークを低減する観点から配線幅Ｗ１の少なくとも３倍程度以上に設定される。したがって、配線間隔Ｗ３は、０．０７５（配線幅Ｗ１）×３＝０．２２５ｍｍ程度に設定される。
【００６８】
差動ペアデータ信号配線Ｄ３と差動クロック信号配線の配線間隔Ｗ３、すなわちデータ信号配線Ｄ３ｂとクロック信号配線Ｃ１ａとの配線間隔Ｗ３も、隣り合う差動ペアデータ信号配線Ｄ１〜Ｄ３の配線間隔Ｗ３と同様に０．２２５ｍｍ程度に設定される。
【００６９】
このような設計ルールでは、配線幅Ｗ１方向の差動ペアデータ信号配線Ｄ１〜Ｄ３及び差動ペアクロック信号配線Ｃ１の配線領域幅Ｗ４は、次式（１）で表される。
【００７０】
Ｗ４＝Ｗ１×８＋Ｗ２×４＋Ｗ３×３＝１．９７５ｍｍ  …（１）
これに対して、ケース２では図６に示すようになる。
【００７１】
図６は、ケース２における差動ペアデータ信号配線Ｄ１〜Ｄ３の構成を示す平面図である。
【００７２】
図６において、差動ペアデータ信号配線Ｄ１〜Ｄ３において、上述した配線幅Ｗ１、配線間隔Ｗ２は、ケース１と同一である。
【００７３】
一方、上述した配線間隔Ｗ３は、配線幅Ｗ１の５倍程度に設定した。したがって、配線間隔Ｗ３は、０．０７５（配線幅Ｗ１）×５＝０．３７５ｍｍ程度に設定した。
【００７４】
このような設計ルールでは、配線幅Ｗ１方向の差動ペアデータ信号配線Ｄ１〜Ｄ３の配線領域幅Ｗ５は、次式（２）で表される。
【００７５】
Ｗ５＝Ｗ１×６＋Ｗ２×３＋Ｗ３×２＝１．７２５ｍｍ  …（２）
上記ケース１とケース２との対比結果から、ケース２は、配線領域幅Ｗ５を従来のケース１の配線領域幅Ｗ４よりも小さくして、かつ配線間隔Ｗ３を広げることができる。この結果、ケース２は、同一の層に形成されるＴＭＤＳの信号配線の形成面積を増大させることなく、配線間隔Ｗ３を広げることができる。これにより、ケース２は、ケース１に比べて差動ペアデータ信号配線Ｄ１〜Ｄ３間のクロストークを低減することができる。
【００７６】
一方、ケース１において、例えばフルハイビジョンでフレームレート６０Ｐ（プログレッシンブ方式で垂直有効解像度が１０１８本）のデジタル映像信号が伝送されると、差動ペアデータ信号配線Ｄ１〜Ｄ３間のクロストークが増大していた。これにより、デジタル映像信号のジッターが大きくなり、信号波形が乱れていた。この結果、デジタル信号の波形評価ツールの一つとして知られているアイパターンのテストに合格することが困難となり、信号の品質の低下を招いていた。
【００７７】
アイパターンは、デジタル信号の波形評価の分野では既に知られた技術であるので、ここでは簡単に説明する。
【００７８】
アイパターンは、例えば上述したＨＤＭＩ（登録商標）のコンプライアンステストの一テスト項目として採用されている。したがって、ＨＤＭＩ（登録商標）でＴＭＤＳを採用する場合には、デジタル映像信号が伝送される差動ペアデータ信号配線Ｄ１〜Ｄ３及び差動ペアクロック信号配線は、アイパターンのテストに合格する必要がある。
【００７９】
アイパターンは、図７に示すように、デジタル信号の信号波形の時間遷移を多数サンプリングし、多数サンプリングした信号波形７０をオシロスコープなどに重ね合わせて表示したものである。図７において、横軸は時間であり、縦軸は信号の電圧である。
【００８０】
サンプリングルする信号波形７０は、論理レベル（論理１、論理０）の時間遷移が８通りの信号波形である。
【００８１】
すなわち、サンプリングルする信号波形７０は、論理０、論理０、論理０と遷移する信号波形、論理０、論理０、論理１と遷移する信号波形、論理０、論理１、論理０と遷移する信号波形、論理０、論理１、論理１と遷移する信号波形である。また、サンプリングルする信号波形は、論理１、論理０、論理０と遷移する信号波形、論理１、論理０、論理１と遷移する信号波形、論理１、論理１、論理０と遷移する信号波形、論理１、論理１、論理１と遷移する信号波形である。
【００８２】
図７において、論理１は例えばプラスの電圧とし、論理０は例えばマイナスの電圧とする。
【００８３】
デジタル信号の伝送品質を判定する場合には、図７に示すように、信号波形を重ね合わせて表示したときのアイ（ｅｙｅ）と呼ばれる開口部７１の大きさを検査する。
【００８４】
伝送されるデジタル信号の電圧のバラツキやジッターが大きいと、多数サンプリングしたデジタル信号を重ね合わせたときにデジタル信号の信号線幅７２が太くなる。この結果、アイの開口部７１が狭くなる。これにより、デジタル信号の伝送品質は悪いと判断する。
【００８５】
一方、伝送されるデジタル信号の電圧のバラツキやジッターが小さいと、多数サンプリングしたデジタル信号を重ね合わせたときでもデジタル信号の信号線幅７２は太くならない。この結果、開口部７１は、電圧のバラツキやジッターが大きい場合に比べて広くなる。これにより、デジタル信号の伝送品質は良好と判断する。
【００８６】
開口部の大きさは、例えば図８に示すように、マスクを用いて判別する方法がある。
【００８７】
図８（ａ）は上述したケース１におけるアイパターンの測定結果を模式的に示す図である、図８（ｂ）は上述したケース２におけるアイパターンの測定結果を模式的に示す図である。
【００８８】
図８に示す判別方法は、予め大きさが決められたマスク８０を開口部８１内に表示し、マスク８０とデジタル信号波形８２とが接触するか否かを判別する。ここで、マスク８０は、ＨＤＭＩ（登録商標）コンプライアンステストで使用される大きさのマスクを用いた。
【００８９】
図８（ａ）に示すように、デジタル信号の信号線幅８３が太くなり、マスク８０とデジタル信号波形８２とが接触（符号８４で示す）した場合には、開口部８１は狭いと判別する。したがって、マスク８０とデジタル信号波形８２とが接触した場合には、デジタル信号の伝送品質は悪いと判断する。
【００９０】
一方、図８（ｂ）に示すように、デジタル信号の信号線幅８３が図８（ａ）に示すように太くならず、マスク８０とデジタル信号波形８２とが接触しない場合には、開口部８１は広いものと判別する。したがって、マスク８０とデジタル信号波形８２とが接触しない場合には、デジタル信号の伝送品質は良好と判断する。
【００９１】
実施形態のケース２では、上述したように配線間隔Ｗ３が広がることにより、ケース１に比べて差動ペアデータ信号配線Ｄ１〜Ｄ３間のクロストークが低減されるので、図８（ｂ）に示すように、デジタル信号の伝送品質は良好となる。また、ＨＤＭＩ（登録商標）コンプライアンステストにおけるアイパターンのテストに合格することができる。
【００９２】
以上説明したように、実施形態は以下に示す技術的特徴を採用することにより、以下に示す効果を得ることができる。
【００９３】
実施形態は、遷移時間最短差動信号伝送方式により差動データ信号が伝送される３つの差動ペアデータ信号配線Ｄ１〜Ｄ３と、遷移時間最短差動信号伝送方式により差動クロック信号が伝送される差動ペアクロック信号配線Ｃ１とを有する。実施形態は、差動ペアデータ信号配線Ｄ１〜Ｄ３及び差動ペアクロック信号配線Ｃ１は、プリント配線板１，３０の異なる層に形成されている。
【００９４】
実施形態は、上記技術的特徴を採用することにより、差動ペアデータ信号配線Ｄ１〜３の配線間隔を広げることができる。これにより、差動ペアデータ信号配線Ｄ１〜Ｄ３間のクロストークを低減することができる。
【００９５】
また、クロストークが低減されるので、差動ペアデータ信号配線Ｄ１〜Ｄ３を伝送される差動ペアデータ信号のジッターが小さくなり、差動ペアデータ信号の品質が良好となる。
【００９６】
実施形態は、差動ペアクロック信号配線Ｃ１は、差動ペアクロック信号配線Ｃ１が形成された配線層の上下層に形成された第１グランド配線Ｇ１と第２グランド配線Ｇ２とにより挟み込まれて構成される。
【００９７】
実施形態は、上記技術的特徴を採用することにより、差動ペアクロック信号配線Ｃ１は、第１グランド配線Ｇ１と第２グランド配線Ｇ２とによりシールドされる。これにより、実施形態は、差動ペアクロック信号配線Ｃ１を伝送する差動クロック信号による電磁雑音を低減することができる。
【００９８】
実施形態は、差動ペアデータ信号配線Ｄ１〜Ｄ３は、プリント配線板１，３０の表面層に形成されている。
【００９９】
実施形態は、上記技術的特徴を採用することにより、差動ペアデータ信号配線Ｄ１〜Ｄ３の差動インピーダンスは、ＴＭＤＳの規格で決められた例えば１００Ωを満足させることができる。
【符号の説明】
【０１００】
１  プリント配線板
Ｄ１〜Ｄ３  差動ペアデータ信号配線
Ｃ１  差動ペアクロック信号配線
Ｇ１  第１グランド配線
Ｇ２  第２グランド配線
【図１】
2015231006.tif 000003
【図２】
2015231006.tif 000004
【図３】
2015231006.tif 000005
【図４】
2015231006.tif 000006
【図５】
2015231006.tif 000007
【図６】
2015231006.tif 000008
【図７】
2015231006.tif 000009
【図８】
2015231006.tif 000010